(57)【要約】【課題】ユーザが携帯端末上で視認性の良い簡易な操作により選択された操作部に対してその操作ができるシステム。【解決手段】車載機器１２０と、ユーザの操作に応じて車載機器１２０の動作を制御する操作制御装置１１０と、操作制御装置１１０との間で情報通信を行う携帯端末１００とを備え、車載機器１２０は、動作機能に対応付けされた情報を格納した無線タグを有し、携帯端末１００は、無線タグに格納された情報を読み取る無線タグリーダ１０２を備え、操作制御装置１１０は、携帯端末１００が読み取った車載機器１２０の無線タグに格納された情報に基づいてユーザが操作した内容を携帯端末１００から受信して車載機器１２０の動作を制御する操作制御システム。【選択図】図１
2014164744.tif 000002
【特許請求の範囲】
【請求項１】
電子機器と、ユーザの操作に応じて前記電子機器の動作を制御する操作制御装置と、前記操作制御装置との間で情報通信を行う携帯端末とを備え、
前記電子機器は、動作機能に対応付けされた情報を格納した無線タグを有し、
前記携帯端末は、前記無線タグに格納された情報を読み取る無線タグリーダを備え、
前記操作制御装置は、前記携帯端末が読み取った前記電子機器の無線タグに格納された情報に基づいてユーザが操作した内容を前記携帯端末から受信して前記電子機器の動作を制御する操作制御システム。
【請求項２】
携帯端末との間で情報通信を行い、自装置に接続される電子機器の動作を制御するう操作制御装置であって、
前記電子機器は、動作機能に対応付けされた情報を格納した無線タグを有し、前記携帯端末は、前記無線タグに格納された情報を読み取る無線タグリーダを備え、
前記携帯端末が読み取った前記電子機器の無線タグに格納された情報に基づいてユーザが操作した内容を前記携帯端末から受信して前記電子機器の動作を制御する操作制御装置。
【請求項３】
ユーザの操作に応じて自機器の動作を制御する操作制御装置に接続される電子機器であって、前記操作制御装置との間で情報通信を行う携帯端末が備えた無線タグリーダが読み取り可能な無線タグを有し、前記無線タグは、自機器の動作機能に対応付けされた情報を格納した電子機器。
【請求項４】
自機器の所望の機能を動作させるための操作部をそなえた電子機器に設けられる無線タグであって、
前記無線タグは、前記操作部が操作された際に動作する機能に対応付けされた情報を格納した無線タグ。
【発明の詳細な説明】
【技術分野】
【０００１】
本発明は、室内に点在する電子機器の操作入力手段を統括的に操作するための操作システムおよび操作制御装置、電子機器、無線タグに関するものである。
【背景技術】
【０００２】
従来の技術として、簡単な表示機能と操作機能によって操作性と視認性の向上に寄与することができ、かつ、複数の電子装置に対して一括して操作制御することができる車両用操作表示制御装置が開示されている（例えば特許文献１参照）。
【０００３】
特許文献１によれば、車室内のスイッチ部の形状や位置によらず、同一の入力方法でそのスイッチ部を操作することができる。
【先行技術文献】
【特許文献】
【０００４】
【特許文献１】特開平１１−０９６８５２号公報
【発明の概要】
【発明が解決しようとする課題】
【０００５】
しかしながら、特許文献１に開示された技術ではある特定の自動車室内装置が備える当該自動車専用の表示制御装置を用意する必要があり、ユーザはその装置の操作画面、操作方法について一定の知識を有している必要があった。そのため、この装置を初めて使用するユーザにとっては不便な場面も存在することがあった。
【０００６】
本発明は、専用の入力装置を備えることなく、特定のスイッチ部についてユーザが日常的に利用して使い慣れた携帯端末を使用して電子機器への操作入力することができる操作システムおよび操作制御装置、電子機器、無線タグを提供する。
【課題を解決するための手段】
【０００７】
上記目的を達成するために本発明は、電子機器と、ユーザの操作に応じて前記電子機器の動作を制御する操作制御装置と、前記操作制御装置との間で情報通信を行う携帯端末とを備え、前記電子機器は、動作機能に対応付けされた情報を格納した無線タグを有し、前記携帯端末は、前記無線タグに格納された情報を読み取る無線タグリーダを備え、前記制御装置は、前記携帯端末が読み取った前記電子機器の無線タグに格納された情報に基づいてユーザが操作した内容を前記携帯端末から受信して前記電子機器の動作を制御するという構成を有する。
【発明の効果】
【０００８】
本発明によれば、専用の入力装置を備えることなく、特定のスイッチ部についてユーザが日常的に利用して使い慣れた携帯端末を使用して電子機器への操作入力が行える操作システムおよび操作制御装置、電子機器、無線タグを提供することができる。
【図面の簡単な説明】
【０００９】
【図１】実施の形態１における機器操作制御システムの構成図
【図２】実施の形態１における車載機器の操作パネルの一例を示す図
【図３】実施の形態１におけるＮＦＣタグを内部に備えるスイッチ部の一例を示す図であって、（ａ）は、スイッチ部を背面から見た状態を示す図、（ｂ）は側面視図、（ｃ）は背面側から見た斜視図、（ｄ）は、操作パネルに組み込んだ状態における断面図
【図４】実施の形態１における操作アプリを起動した際の起動画面の例を示す図
【図５】実施の形態１における操作制御システムの動作フロー図
【図６】実施の形態１における操作アプリが携帯端末に表示する温度設定画面の一例を示す図
【図７】実施の形態１における操作アプリが携帯端末に表示するオーディオ再生時の設定画面の一例を示す図
【図８】本発明の実施の形態１におけるサイドミラーＮＦＣタグの配置例を示す図
【図９】本発明の実施の形態１におけるサイドミラー調整部利用時の携帯端末に表示される画面の一例を示す図
【発明を実施するための形態】
【００１０】
（実施の形態１）
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１１】
図１は本実施の形態にかかる操作制御システム１のブロック図である。図示のとおり、本実施の形態の操作制御システム１は、携帯端末１００と操作制御装置１１０と電子機器としての車載機器１２０とを有した構成である。
【００１２】
携帯端末１００はＢｌｕｅｔｏｏｔｈ（登録商標）やＷｉ‐Ｆｉ（登録商標）などの無線通信規格を満足する端末側無線通信部１０１と、ＮＦＣ（Near Field Communication）タグの読取部（以下ＮＦＣリーダ）１０２と、携帯端末１００の機能を統括的に制御する携帯端末制御部１０３とを備える。
【００１３】
携帯端末制御部１０３は、例えば、ＣＰＵ（Centaral Processing Unit）、ＲＯＭ（Read Only Memory）、およびＲＡＭ（Random Access Memory）によって実現される。ＣＰＵは、ＲＯＭに格納されたコンピュータプログラムを、ＲＡＭを作業領域として使いながら実行する。
【００１４】
携帯端末制御部１０３は、後述する車載機器の制御を行うための専用の車載装置操作入力制御プログラム（以下、操作制御アプリ部１０４と称する）がＲＯＭに格納（ダウンロード）されている。
【００１５】
なお、本実施の形態においては、携帯端末１００の一例としてユーザが日常的に使用するスマートフォンが用いられるものとする。
【００１６】
操作制御装置１１０は携帯端末１００が備える端末側無線通信部１０１と同じ無線通信規格で相互データ送受信を行う無線通信部１１２と、この無線通信部１１２を制御する中央統括制御部１１３とを備える。
【００１７】
中央統括制御部１１３は、例えば、ＣＰＵ（Centaral Processing Unit）、ＲＯＭ（Read Only Memory）、およびＲＡＭ（Random Access Memory）によって実現される。ＣＰＵは、ＲＯＭに格納されたコンピュータプログラムを、ＲＡＭを作業領域として使いながら実行する、一般的なマイコンとその周辺装置で構成される。
【００１８】
また、中央統括制御部１１３は、接続先である外部の機器との間で、マスターとスレーブとの関係になってデータ通信を行う通信機能を備える。
【００１９】
車載機器１２０は車両に搭載される所謂電装品であって、本実施の形態においては、エアコン装置１３０と、オーディオ再生装置１４０、サイドミラー調節装置１５０が含まれる例を想定する。
【００２０】
但し、車載機器１２０は複数の装置である必要は無く、また、複数ある場合でも各装置が車室内の特定のひとつの場所に統合して配置されている必要はない。
【００２１】
図１に示すとおり車載機器１２０の各装置は、操作制御装置１１０に接続され、車載機器１２０の各装置が備える制御部と操作制御装置１１０の中央統括制御部１１３とが通信を行う。
【００２２】
エアコン装置１３０は中央統括制御部１１３に複数のスレーブから通信相手を指定するプロトコルを有するインターフェースで接続されているエアコン制御部１３１と、エアコン制御部１３１に接続されてユーザがエアコン装置１３０を操作するための操作入力手段であるエアコン操作スイッチ部１３２と、エアコン操作スイッチ部１３２の各スイッチ部に割り当てられたエアコン操作ＮＦＣタグ１３３と、エアコン制御部１３１が制御して各種のエアコン動作を行う空調機関部１３４とを備える。
【００２３】
エアコン制御部１３１はＣＰＵと、ＲＡＭと、外部の機器との間でマスター・スレーブの関係で通信を行う通信部と、エアコン操作スイッチ部１３２の制御方法に対応した入出力手段（Input/Output）とを備える一般的なマイコンと空調機関部１３４を制御するための適した周辺装置とで構成される。
【００２４】
なお、エアコン操作スイッチ部１３２は、機器の操作を行うためにユーザが接触する部分（例えばボタンなど）と、このユーザの操作（接触）に応じて電気信号を生じさせる（あるいは変化させる）ことによって機器の動作状態を変化させるための電気回路部品（例えばスイッチなど）を含む。
【００２５】
ここで、エアコン操作スイッチ部１３２は、任意の複数（図１ではｎ個で表している）の個別スイッチ部によって構成されるものであり、本実施の形態においてエアコン装置１３０を操作するためのスイッチ部を単数か複数かを問わずにエアコン操作スイッチ部１３２と称する場合がある。また、エアコン操作ＮＦＣタグ１３３も同様である。
【００２６】
オーディオ再生装置１４０はエアコン制御部１３１と同様の方法で操作制御装置１１０の中央統括制御部１１３に接続されるオーディオ制御部１４１と、オーディオ制御部１４１に接続され、ユーザがオーディオ再生装置１４０を操作するための操作入力手段であるオーディオ操作スイッチ部１４２と、オーディオ操作スイッチ部１４２の各スイッチ部に割り当てられたオーディオ操作ＮＦＣタグ１４３と、オーディオ制御部１４１が制御し、各種のオーディオ動作を行うオーディオ部１４４とを備える。
【００２７】
オーディオ制御部１４１はＣＰＵと、ＲＡＭと、外部の機器との間でマスター・スレーブの関係で通信を行う通信部と、オーディオ操作スイッチ部１４２の制御方法に対応した入出力手段（Input/Output)とを備える一般的なマイコンとオーディオ部１４４を制御するための適した周辺装置とで構成される。
【００２８】
ここで、オーディオ操作スイッチ部１４２は、任意の複数（図１ではｎ個で表している）の個別スイッチ部によって構成されるものであり、本実施の形態においてオーディオ再生装置１４０を操作するためのスイッチ部を単数か複数かを問わずにオーディオ操作スイッチ部１４２と称する場合がある。オーディオ操作ＮＦＣタグ１４３も同様である。
【００２９】
サイドミラー調節装置１５０は他の装置と同様に操作制御装置１１０の中央統括制御部１１３に接続されるサイドミラー制御部１５１と、サイドミラー制御部１５１に接続され、車両のサイドミラーの角度を調節するための操作入力手段であるミラー角度調節部１５２と、ミラー角度調節部１５２に割り当てられたサイドミラーＮＦＣタグ１５３と、サイドミラー制御部１５１が制御して所望のミラー角度になるようミラーを動かすためのミラーモータが設けられたサイドミラー１５４とを備える。
【００３０】
サイドミラー制御部１５１はＣＰＵと、ＲＡＭと、外部の機器との間でマスター・スレーブの関係で通信を行う通信部と、ミラー角度調節部１５２の制御方法に対応した入出力手段（Input/Output)とを備える一般的なマイコンとサイドミラーを制御するための適した周辺装置で構成される。
【００３１】
以上のように接続された各装置を操作ユーザが操作するための操作パネルの一例を図２に示す。
【００３２】
図２に示す操作パネル２００は、車両のセンターコンソールなどに設けられ、図２に示す例においては、操作パネル２００の上段側にオーディオ操作スイッチ部１４２を並べたオーディオ操作部２４０が、下段側にエアコン操作スイッチ部１３２を並べたエアコン操作部２３０が配置されている。
【００３３】
図２に例示されるエアコン操作スイッチ部１３２は、温度アップスイッチ部１３２ａ、温度ダウンスイッチ部１３２ｂ、風量アップスイッチ部１３２ｃ、風量ダウンスイッチ部１３２ｄ、風向調整スイッチ部１３２ｅ、モード選択スイッチ部１３２ｆを備える。
【００３４】
また、図２に例示されるオーディオ操作スイッチ部１４２は、巻き戻しスイッチ部１４２ａ、再生／停止スイッチ部１４２ｂ、早送りスイッチ部１４２ｃ、サーチスイッチ部１４２ｄ、ラジオモード切替スイッチ部１４２ｅを備える。
【００３５】
ユーザは上記各スイッチ部を押圧操作することによって車載機器１２０の各装置に対して所望の機能を動作させることができる。ただし、所望の機能とは、各スイッチ部上面（ユーザに対向する面）に記号や文字列で表記された内容に対応するものであって、エアコンの風向調整機能やオーディオの早送りなどである。
【００３６】
さらに、各操作部には現在の各装置の動作状態を示す表示部や他の操作手段などが設けられている。
【００３７】
車載機器１２０の上記した各装置において、各スイッチ部に割り当てられたＮＦＣタグは、対応するスイッチ部の近辺、例えばスイッチ部の下などに別途配置されれば良い。または、図３に示されるようにスイッチ部の内部にＮＦＣタグを備えても良い。
【００３８】
図３は、ＮＦＣタグを内部に備えるスイッチ部の一例を示す図である。図３（ａ）は、スイッチ部を背面から見た状態（図１に示す状態において、紙面の後から手前に向かって見た状態）を示す。図３（ｂ）は図３（ａ）の側面視図、図３（ｃ）は背面側から見た斜視図、図３（ｄ）は、操作パネル２００に組み込んだ状態における断面図である。
【００３９】
図３に例示する、エアコン操作スイッチ部１３２（またはオーディオ操作スイッチ部１４２）は、エアコン操作スイッチ部１３２を操作することによって動作する機能の名称を示す文字列もしくは記号（絵や図）がユーザに向かう側に記されたスイッチ部表面３０１を備える。
【００４０】
スイッチ部表面３０１の背面側にはスイッチ部表面３０１に平行な層である対応ＮＦＣタグ層３０２が備えられ、このＮＦＣタグ層３０２の面上にエアコン操作ＮＦＣタグ１３３（またはオーディオ操作ＮＦＣタグ１４３）が設けられる。
【００４１】
ＮＦＣタグ層３０２にはＮＦＣタグとしてＮＦＣアンテナ３０４とタグＩＣ（図示なし）が配置される。
【００４２】
これにより、ユーザがスイッチ部表面３０１側からエアコン操作スイッチ部１３２（またはオーディオ操作スイッチ部１４２）に携帯端末１００のＮＦＣリーダ１０２（携帯端末１００のＮＦＣアンテナ）をかざすことで、携帯端末１００とスイッチ部内部のＮＦＣタグとがＮＦＣ通信を行うことができる。
【００４３】
また、図３（ｄ）に示すように、ユーザがスイッチ部を押圧すると、スイッチ部が紙面の左から右にスライドし押圧部３０３がプリント基板３０６上のスイッチ３０５に接触することでスイッチ３０５をＯＮ／ＯＦＦさせる。
【００４４】
プリント基板３０６は、図１に示す機能ブロックの結線を実現するものであり、スイッチ部の押圧操作に応じて電気信号を生じさせることにより、操作制御システム１の各機能が動作（あるいは停止）する。
【００４５】
なお、押圧部３０３のプリント基板３０６側にカーボン系導電ゴム接点を貼り付けてプリント基板３０６の銅箔パターンを開閉させるタイプのものを用いてスイッチ機能を実現しても良い。
【００４６】
また、車載機器１２０の機能を示す記号や文字列がＮＦＣタグに印刷されているステッカータイプのＮＦＣタグをスイッチ部表面３０１に貼付するものが用いられても良い。
【００４７】
ＮＦＣタグ層３０２に設けられているＮＦＣタグ（エアコン操作ＮＦＣタグ１３３またはオーディオ操作ＮＦＣタグ１４３のいずれか）には、機器間の無線通信を設定するためのペアリング手順を意味する無線ペアリング手順コード、ＮＦＣタグが設けられているスイッチ部が操作された際に動作すべき装置の制御部のＩＤ（IDentification）やアドレスを意味する装置アドレス、スイッチ部のアドレスを示すスイッチ部アドレスなどからなる複数の情報が自身を備えるスイッチ部に対して１対１に対応して格納されている。
【００４８】
換言すると、ＮＦＣタグに格納されている、これらのＩＤやアドレスに関する情報は車載機器１２０の各装置の機能を実行させるためのスイッチ部や調節部のそれぞれに１対１で対応付けられた情報である。
【００４９】
無線ペアリング手順コードには、当該ＮＦＣタグの情報を読取った携帯端末１００が操作制御装置１１０の無線通信部１１２との間でＢｌｕｅｔｏｏｔｈ（登録商標）を用いた無線送受信の経路を確立するための情報が備えられる。
【００５０】
無線通信ペアリング手順コードが備える情報は、例えば、携帯端末１００が無線通信部１１２を検出するための情報と、携帯端末１００と無線通信部１１２とが通信するためのペアリング設定のための認証パスキー（ＰＩＮコードともいう）である。
【００５１】
Ｂｌｕｅｔｏｏｔｈ（登録商標）の認証パスキーは接続試行毎に都度生成される場合が一般的であるが、本発明においては、読取のみのＮＦＣタグからその認証用パスキーを取得するため、固定の認証パスキーによる認証を想定する。
【００５２】
以上のように構成された本実施の形態にかかる操作制御システム１について、以下にその動作を説明する。本実施の形態の操作制御システム１の動作概要は、次の通りである。ユーザが携帯端末１００のＮＦＣリーダ１０２（より詳細には、ＮＦＣリーダ１０２に接続されるＮＦＣ通信用のアンテナ）を各操作スイッチ部や調整部にかざすことによって、その近傍に設けられたＮＦＣタグとＮＦＣリーダ１０２とがＮＦＣ通信する。
【００５３】
このＮＦＣ通信によって携帯端末１００は、ユーザが操作対象としている機能を特定すると同時に携帯端末側に該操作対象を操作するための画面を表示させ、この表示内容に基づいてユーザが操作を行う。
【００５４】
以下の説明においては、エアコン操作部２３０に設けられた温度アップスイッチ部１３２ａに対する操作を例にとって説明する。
【００５５】
ただし、ユーザは自信が保持する携帯端末１００が備える操作制御アプリ部１０４を動作させてアプリケーションソフト（操作アプリ）を起動しておく。
【００５６】
この操作アプリは、予め携帯端末１００に複数記憶されている操作画面の中から、ＮＦＣタグに格納されたスイッチアドレスに対応した呼び出すべき操作画面を選択するプログラムを備えている。
【００５７】
また、携帯端末１００が本アプリによって使用されるＢｌｕｅｔｏｏｔｈ（登録商標）とＮＦＣとの機能がそれぞれ任意で外部の設定で変更できる携帯端末である場合、Ｂｌｕｅｔｏｏｔｈ（登録商標）とＮＦＣの機能を別途設定するものとする。
【００５８】
ただし、本実施例において、携帯端末１００と無線通信装置１２０間の無線通信はＢｌｕｅｔｏｏｔｈ（登録商標）のＳＰＰ（Serial Port Profile）を使用することとするが、無線通信はＷｉ−Ｆｉ（登録商標）などの別の規格でも良い。
【００５９】
操作アプリを起動した初期の起動画面の例を図４に示す。図４に示すとおり、携帯端末１００の表示部１０５に起動画面４００が表示される。起動画面４００は、ユーザに向けて次操作を促すための内容を文字列や図などを用いて構成される。
【００６０】
以下、図５を用いて本実施の形態における操作制御システム１の処理フローの詳細を説明する。
【００６１】
なお、図５に示すとおり、操作制御システム１の処理フローを大きく携帯端末１００の処理と車載器側の処理フローとに分けて説明する。ただし、「車載器側」とは、操作制御装置１１０および車載機器１２０を含んだものを指す表現である。
【００６２】
ユーザは、起動画面４００が表示されている携帯端末１００を用いて、温度アップスイッチ部１３２ａに向けて携帯端末１００の背面（ＮＦＣ通信用のアンテナ）をかざす。携帯端末１００の操作アプリはＮＦＣリーダ１０２を動作させて、温度アップスイッチ部１３２ａの内部に設けられた温度アップＮＦＣタグ１３３ａを読み取る（ステップＳ５０１）。
【００６３】
温度アップスイッチ部１３２ａに対応づけられた温度アップＮＦＣタグ１３３ａには、上述した、ペアリング手順コード、装置アドレス、スイッチ部アドレスなどのデータが格納されているが、操作アプリは、ＮＦＣリーダ１０２を動作させてこれら全ての情報を読み取る。
【００６４】
ステップＳ５０２からステップＳ５０４にて、操作アプリは、読み取った無線ペアリング手順コードに基づいて、携帯端末１００と操作制御装置１１０との間でペアリング処理を実行する。
【００６５】
すなわち、携帯端末１００は、ステップＳ５０１にて温度アップＮＦＣタグ１３３ａを読み取ると、操作アプリが動作して操作制御装置１１０の検出を行う（ステップＳ５０２）。
【００６６】
その後ステップＳ５０３において、携帯端末制御部１０３が認証キーの確認作業を行う。Ｂｌｕｅｔｏｏｔｈ（登録商標）では検出された相手とペアリングするために認証キーが必要であるため、この通信確立設定として操作アプリが無線通信ペアリング手順コードに格納された認証キーを用いて認証キーの確認作業を行う。
【００６７】
操作制御装置１１０では、携帯端末１００から受信した認証キーに基づいて、無線ペアリングの設定が行われる（ステップＳ５０４）。
【００６８】
操作アプリは、ステップＳ５０３において、操作制御装置１１０へ認証キーを入力した後に操作制御装置１１０との間で通信が確立されたかどうか確認を行う（ステップＳ５０５）また、操作制御装置１１０側では、ステップＳ５０４の後に、携帯端末１００との間で無線通信が確立されたか否かを中央統括制御部１１３が確認する（ステップＳ５０６）。
【００６９】
ステップＳ５０５およびステップＳ５０６の確認作業にて、通信の確立が確認できなかった場合は、初期状態に処理を戻す。
【００７０】
ステップＳ５０５およびステップＳ５０６の確認作業にて、通信の確立が確認できた場合は、操作アプリが温度アップＮＦＣタグ１３３ａに格納されたスイッチアドレスをロードし、そのアドレスから呼び出す操作画面を決定する（ステップＳ５０７）。
【００７１】
本実施形態においては、温度アップスイッチ部１３２ａに向けて携帯端末１００をかざしているので、温度アップスイッチ部１３２ａに対応した温度アップＮＦＣタグ１３３ａに格納されたスイッチアドレスが読み込まれる。
【００７２】
したがって、携帯端末１００の操作アプリでは、複数記憶されている操作画面のうちの温度設定画面６１０が呼び出される。
【００７３】
ここで、温度設定画面６１０の一例を図６に示す。温度設定画面６１０は、操作制御装置１１０の無線通信部１１２、端末側無線通信部１０１を介してエアコン装置１３０から得た「現在の温度設定情報」や「現在の室内の温度情報」を表示内容として反映させる。これらの情報はエアコン操作部２３０の表示部に表示された内容と同期した情報であることが望ましい。
【００７４】
温度設定画面６１０には、ユーザが操作するための温度設定用スライドバー６１３が表示される。この温度設定用スライドバー６１３は、温度設定可能範囲を示す設定バー６１３ｂと、ユーザがタッチして所望の温度になるまで設定バー６１３ｂ上をスライドさせるためのポインタ６１３ａからなる。
【００７５】
また、温度設定画面６１０には、現在選択されているスイッチ部とは別のスイッチ部を読み取るための画面、つまり起動画面４００に戻るタグ読取スイッチ部６１１と、操作アプリを終了するための終了スイッチ部６１２とが設けられている。
【００７６】
さらに、温度設定画面６１０は、ユーザの操作を促す「スクロールバーでエアコンの温度設定をしてください。」などの文字列が案内情報として表示される。
【００７７】
ここで、本実施の形態において、携帯端末１００はタッチパネルを備えたものを想定しており、携帯端末１００の表示部１０５の上面（ユーザが視認する側の面）にタッチパネルが設けられている。
【００７８】
したがって、タグ読取スイッチ部６１１、終了スイッチ部６１２、温度設定用スライドバー６１３の設定バー６１３ｂなどのそれぞれは、ユーザのタッチ操作によってその機能が実行される。なお、携帯端末１００に記憶される他の操作画面も同様である。
【００７９】
表示部１０５に温度設定画面６１０が表示された時点では、温度設定用スライドバー６１３のポインタ６１３ａは現在の設定温度の値を示す位置に配置される。
【００８０】
今、エアコン装置１３０の設定温度は２５度に予め設定されていたものとした場合、温度設定情報表示部６１４に表示される「設定温度」は２５度と表示され、温度設定用スライドバー６１３のポインタ６１３ａは２５度上に配置される。
【００８１】
再び図５に戻って処理フローの説明を続ける。ステップＳ５０７にて呼び出すべき操作画面を決定した後、操作アプリはユーザからの操作が確定されるのを待つ（操作確定待ち）。
【００８２】
操作アプリにおいて、操作確定とはポインタ６１３ａが現状の設定、つまり２５度から別の温度へスライドされ所定時間経過したことをさす。
【００８３】
ただし、ポインタ６１３ａのスライド動作がないまま所定時間経過した場合に操作確定としてもよく、あるいは、別途「確定」を意図するアイコンを設けて、このアイコンへのユーザのタッチ操作を検出して操作確定としてもよい。
【００８４】
ユーザが所望の温度目盛上にポインタ６１３ａを移動させて操作確定になる（ステップＳ５０８）と操作アプリは次のステップへ移行する。
【００８５】
ステップＳ５０８において操作確定になると、確定した操作に基づいて送信すべき情報（装置アドレスやスイッチ部アドレス）が確定され、確定した情報が指定アドレス情報として操作制御装置１１０へ送信される（ステップＳ５０９）。
【００８６】
指定アドレス情報は上位データ部を装置アドレス、下位データ部をスイッチ部アドレスとして構成される。本実施の形態において、装置アドレスは図１に示されるエアコン制御部１３１のアドレスもしくはＩＤを情報として格納し、スイッチ部アドレスは温度アップスイッチ部１３２ａのアドレスまたはＩＤを情報として格納する。
【００８７】
ステップＳ５０９にて携帯端末１００から操作制御装置１１０へ情報が送信されると、操作制御装置１１０では、無線通信部１１２が送信されてきた情報を受信し、無線通信部１１２にて受信した指定アドレス情報は、無線通信部１１２から中央統括制御部１１３へ送信される（ステップＳ５１０）。
【００８８】
操作制御装置１１０の中央統括制御部１１３は、当該制御部のＲＡＭ領域にこの指定アドレス情報を保存し、保存された指定アドレス情報のうち、装置アドレスを呼び出し、当該アドレスに対応する車載機器１２０の装置をスレーブに設定し、通信を準備する（ステ
ップＳ５１１）。
【００８９】
例えば、対象のスレーブセレクトビットを操作し、中央統括制御部１１３はスレーブとしてエアコン装置１３０のエアコン制御部１３１を設定する。もしくは２線式バス通信方式などの場合には、エアコン制御部１３１のＩＤを中央統括制御部１１３に接続されたすべてのスレーブの制御部に通信を行うスレーブのアドレスを送信する。
【００９０】
そのアドレスからエアコン制御部１３１は通信開始の認証データを中央統括制御部１１３にその値を返す。
【００９１】
携帯端末１００側では、操作アプリがステップＳ５０９において携帯端末１００から操作制御装置１１０へ情報を送信した後に、ユーザが温度設定画面６１０を用いて設定した空調機関部１３４の設定温度の情報をスイッチ情報（操作量データ）として携帯端末１００から操作制御装置１１０へ送信する（ステップＳ５１２）。
【００９２】
ここで、スイッチ情報は、上位スイッチ情報と下位スイッチ情報とで構成される。例えば、設定温度の情報が少ないデータ量のみで構成される場合、上位スイッチ情報にはゼロが書き込まれて上位スイッチ情報は使用しない情報とされ、下位スイッチ情報には必要な設定情報が書き込まれる。
【００９３】
ステップＳ５１２にてスイッチ情報が送信されると、車載器側では操作制御装置１１０の無線通信部１１２がこのスイッチ情報を受信し、中央統括制御部１１３に当該スイッチ情報が転送され転送されたスイッチ情報は、中央統括制御部１１３のＲＡＭ領域に保存される（ステップＳ５１３）。
【００９４】
中央統括制御部１１３はステップＳ５１１において取得した指定アドレス情報と、ステップＳ５１２にて保存されたスイッチ情報とをステップＳ５１１において設定したスレーブの制御部（本例においてはエアコン制御部１３１）に送信するとともに、エアコン制御部１３１は中央統括制御部１１３から送信されたスイッチ部アドレスとスイッチ情報とをエアコン制御部１３１が備えるＲＡＭ領域にそれぞれ保存する（ステップＳ５１４）。
【００９５】
ここで、中央統括制御部１１３がステップＳ５１１において取得した指定アドレス情報と、ステップＳ５１２にて保存されたスイッチ情報とをステップＳ５１１において設定したスレーブの制御部に送信する際、スイッチアドレス、スイッチ情報の順にエアコン制御部１３１へ送信するが、スイッチ情報が下位スイッチ情報のみでその値が構成されている場合、下位スイッチ情報のみを送信する。
【００９６】
または、上位スイッチ情報と下位スイッチ情報の両方に制御情報が書き込まれている場合は両方送信する。
【００９７】
ステップＳ５１４の後、エアコン制御部１３１はスイッチ部アドレスをエアコン制御部１３１のＲＡＭから呼び出し、操作アプリが読み込んだスイッチ部を特定するとともに、ＲＡＭ内のスイッチ情報に基づいて操作アプリに対するユーザ操作を特定し、空調機関部１３４に対する操作情報に変換する（ステップＳ５１５）。
【００９８】
本実施例において操作情報は温度設定情報であり、図２に示す温度アップスイッチ部１３２ａと温度ダウンスイッチ部１３２ｂに対するユーザからの操作によってエアコン制御部１３１得られる情報と同等となる。
【００９９】
ステップＳ５１５の後、エアコン制御部１３１はステップＳ５１５で変換した操作情報
を空調機関部１３４へ送信し、ユーザが携帯端末１００上のアプリで設定した温度にエアコンを設定する（ステップＳ５１６）。
【０１００】
空調機関部１３４への設定が終了した後、エアコン制御部１３１は操作制御装置１１０の中央統括制御部１１３にスイッチ操作が完了した旨の通知情報を送信する。
【０１０１】
また、この時、温度設定画面６１０に表示する情報で更新すべき情報が空調機関部１３４から取得された場合、その情報も中央統括制御部１１３へ送信する。
【０１０２】
中央統括制御部１１２はエアコン制御部１３１から受信した操作が完了した旨の通知情報を操作制御装置１１０に出力し、操作制御装置１１０の無線通信部１１２から携帯端末１００の操作アプリへ操作完了を通知する（ステップS５１７）。
【０１０３】
操作アプリは操作制御装置１１０から送信された操作完了通知情報を受信すると、温度設定画面６１０の画面更新処理を実行する（ステップＳ５１８）。
【０１０４】
このとき、操作アプリは操作画面６１０の温度設定情報表示部６１４の現在の空調機関部１３４に設定されている温度と現在の車室内の計測温度を更新する。
【０１０５】
この温度設定情報表示部６１４の更新をもって、アプリと操作制御装置１１０はユーザへアプリの温度設定画面６１０上での操作がエアコンに反映されたことを通知する。
【０１０６】
以上説明した処理フローによって、ユーザは任意のスイッチ部に携帯端末１００をかざせば、そのスイッチ部が制御できる機能に対して携帯端末１００を用いて操作することが可能となる。
【０１０７】
また、上述の携帯端末１００の操作アプリを用いて、例えば温度アップスイッチ部１３２ａを読取った温度設定画面６１０が表示されている状態において、再生／停止スイッチ部１４２ｂ、の画面を表示したい場合などがある。
【０１０８】
ユーザは温度設定画面６１０に表示されるタグ読取スイッチ部６１１を操作することで、操作アプリは表示内容を起動画面４００に切り替え、ＮＦＣタグの読取モードに移行する。
【０１０９】
このとき、携帯端末１００と操作制御装置１１０との間で行われる無線通信も一時切断され、操作アプリは図５に示すフローの最初のステップから処理を開始しスイッチ部のＮＦＣタグを読取り、無線通信の接続認証を再度行う。
【０１１０】
具体的には、ユーザが携帯端末１００の温度設定画面６１０のタグ読取スイッチ部６１１を操作し、操作アプリがそれまで選択していたスイッチ部の選択を解除する。この操作によって、前述の通り無線通信も一度切断される。
【０１１１】
携帯端末１００および操作制御装置１１０間の無線通信が切断されている状態において、ユーザが携帯端末１００を再生／停止スイッチ部１４２ｂにかざすと、図５に示した内容に沿ってフローが進行する。
【０１１２】
この場合に、ステップＳ５０７において呼び出される操作画面７００の一例を図７に示す。図７に示すように、この場合の操作画面７００には音楽の再生および停止の切替制御する基本スイッチが配置され、図８に示す例では再生停止アイコン７０１とオーディオ再生装置１４０の動作状態を示す状態表示ウインドウ７０２が配置される。
【０１１３】
操作画面７００が表示されている状態において、例えばユーザが再生停止アイコン７０１を操作すると、指定アドレス情報に再生／停止スイッチ部１４２ｂのアドレス情報とスイッチ情報に音楽を再生するコマンド情報が保存される。
【０１１４】
このスイッチ情報に保存されるコマンド情報は、例えば、実際にオーディオ再生装置１４０に設けられた再生／停止スイッチ部１４２ｂが操作されることでオーディオ制御部１４１が行う処理で使用するコマンド情報と同等である。
【０１１５】
また、携帯端末１００に表示される操作画面７００を利用して再生停止アイコン７０１がユーザによって操作されることによってオーディオ再生装置１４０に音楽再生の処理が入力されたことをユーザへ伝えるために、操作画面７００の状態表示ウインドウ７０２にその旨の内容が表示される。
【０１１６】
この場合、必要な情報（音楽再生の処理が入力された旨を表す情報）は、オーディオ再生装置１４０から操作制御装置１１０を経由して携帯端末１００へ送信される（図５に示す、ステップＳ５１５の処理に該当する）。
【０１１７】
この情報を受信した携帯端末１００は状態表示ウインドウ７０２に、例えば、「再生中」などの文字列を表示する処理を行う。
【０１１８】
また、再生停止アイコン７０１のマークは一般的な「再生」のシンボルから、「停止」もしくは「一時停止」のシンボルに変更され、その時点においてオーディオ再生装置１４０が音楽を再生している状態であることが報知される。
【０１１９】
以上説明したとおり、本実施の形態によれば、ユーザが日常的に利用して使い慣れた携帯端末を使用して電子機器（車載機器）への操作入力することができるため、電子機器に専用の入力装置を車室内に備えることなく、簡単な構成でユーザが容易に入力操作を行うことができる操作制御システムを実現することができる。
【０１２０】
次に、操作制御システム１を車両のサイドミラーの角度調節に適応する場合について、図８および図９を用いて、その適用例を以下に説明する。
【０１２１】
図８は、自動車の右ドア（一般的な日本国産自動車の運転席側のドア）側の構成例を示す図である。
【０１２２】
図８に示すように、車両の右ドア８００の車室内側にはアームレスト８０１が備えられ、車外側にサイドミラー８０２（一部破線で図示）が設けられている。
左右のサイドミラーを調整するミラー角度調節部１５２およびミラー角度調節部１５２を識別するためのサイドミラーＮＦＣタグ１５３は、アームレスト８０１近傍のサイドミラー８０２側に配置される。
【０１２３】
ただしミラー角度調節部１５２およびサイドミラーＮＦＣタグ１５３は、アームレスト８０１に埋設されるように設けられていても良い。
【０１２４】
また、上述と同様に、サイドミラーＮＦＣタグ１５３には、ＮＦＣ通信（無線通信）を行う際のペアリング手順を意味するペアリング手順コード、ＮＦＣタグが設けられているミラー角度調節部１５２が操作された際に動作すべきであるサイドミラー調節装置１５０における、サイドミラー制御部１５１のＩＤやアドレスを意味する装置アドレス、ミラー角度調節部１５２のアドレスを示すスイッチアドレスなどからなる複数の情報が格納され
ている。
【０１２５】
換言すると、サイドミラーＮＦＣタグ１５３に格納されている、これらのＩＤやアドレスに関する情報はサイドミラー調節装置１５０の機能を実行させるための調節部（ミラー角度調整部１５２）のそれぞれに１対１で対応付けられた情報である。
【０１２６】
また、上述の例と同様にサイドミラーＮＦＣタグ１５３には、上述した、ペアリング手順コード、装置アドレス、スイッチ部アドレスなどのデータが格納されているが、操作アプリは、ＮＦＣリーダ１０２を動作させてこれら全ての情報を読み取る。
【０１２７】
ユーザは携帯端末１００の専用アプリ（操作アプリ）を起動し、携帯端末１００の表示画面１０５に起動画面４００を表示させる。起動画面４００が表示された携帯端末１００のＮＦＣアンテナが備えられた側をサイドミラー角度調整部１５２（またはサイドミラーＮＦＣタグ１５３）にかざすと、操作アプリはサイドミラーＮＦＣタグ１５３が保持するアドレス情報および操作制御装置１１０無線通信部１１２との間で行う無線接続用認証情報を取得する。
【０１２８】
この際、携帯端末１００において、操作アプリは取得したミラー角度調整部１５２のアドレスに対応する操作画面であるミラー調整画面９００を呼び出し、表示部１０５に表示する。この場合に呼び出される操作画面の一例を図９に示す。
【０１２９】
図９に示すように、ミラー調整画面９００には、ミラーの角度を調整すべきサイドミラーの形状が表示される（この場合右ミラー９０１）とともに、このミラーをどちらへ向けて調整するかを入力するための角度調整操作アイコン９０２ａ〜９０２ｄが右ミラー９０１の周囲に表示される。
【０１３０】
図９に示すようにｘ軸とｙ軸とがなす面が紙面に平行な面になるようにｘ軸とｙ軸とを仮定し、ｘｙ平面に垂直な軸をｚ軸と仮定すると、一般的にサイドミラーを形成する面（ｘｙ平面）がｘ軸に平行な任意の軸またはｙ軸に平行な任意の軸を中心軸にして回動することで、サイドミラーの角度は調整される。
【０１３１】
すなわち、ユーザが角度調整操作アイコン９０２ａを操作することでミラーが上向きに、角度調整操作アイコン９０２ｂを操作することでミラーが右向きに、角度調整操作アイコン９０２ｃを操作することでミラーが下向きに、角度調整操作アイコン９０２ｄを操作することでミラーが左向きに、調整される。
【０１３２】
すなわち、ユーザはミラー調整画面９００に表示されている角度調整操作アイコン９０２を選択することで、操作アイコン９０２が示す方向にミラーを回転させる。
【０１３３】
この場合、図５に示す処理フローのステップＳ５１２において携帯端末１００から操作制御装置１１０へ送信するスイッチ情報は、ｙ軸方向の回転情報（回転角度あるいは回転ステップなど）を上位スイッチ情報として、ｘ軸方向の回転情報を下位スイッチ情報としてそれぞれＲＡＭに保存される。
【０１３４】
ユーザが行う操作は操作アイコン９０２を選択し設定させる方法の他、右ミラー９０１の回転させたい方向、例えば、右下を選択する（y軸とx軸の情報を同時に書き換える）などの方法でも良い。
【０１３５】
携帯端末１００のアプリは指定されたアドレス情報とスイッチ情報とを操作制御装置１１０へ送信する。中央統括制御部１１３は受信した情報を元にサイドミラー調節装置１５
０のサイドミラー制御部１５１へ情報を送信する。
【０１３６】
サイドミラー制御部１５１は取得した情報、つまりスイッチ情報が保持するミラーのy軸とx軸方向への回転情報を元に、サイドミラー１５４を回転させる。
【０１３７】
これらの処理が完了した後、サイドミラー制御部１５１は、中央統括制御部１１３へ操作が完了した旨の通知情報を送信するが、この通知情報をミラーの回転情報にすることで通知情報を受信した携帯端末１００側では操作アプリが受信した通知情報に基づいた分だけミラー調整画面９００に表示しているミラーの形状（この場合右ミラー９０１）を変更する。
【０１３８】
通知情報を受信した携帯端末１００の操作アプリは、通知情報が保持するミラーの角度情報に基づいてミラーの形状を回転させたような画面更新処理を行うことによって、ユーザは、ミラー角度が指定された方向へ回転されたことを認識することができる。
【０１３９】
ミラー調整画面９００に表示しているミラーの形状を３次元のイメージで表示することによって、ミラー部のイメージは指定方向に回転し、その回転によりユーザは選択したサイドミラーの現状の角度を携帯端末１００に表示されるイメージによって視覚的に知ることができる。
【０１４０】
以上説明したとおり、本実施の形態の操作システムによれば、携帯端末１００と同等な機能を有するユーザもしくは同乗者が所有するスマートフォンなどの携帯端末と専用アプリを用いることで、特定のスイッチ部について携帯端末上で表示された方法で操作を行うことができ、スイッチ部を直接触れることなく所望の操作を行うことができる。
【０１４１】
特に、室内に点在する操作スイッチ部をユーザもしくは同乗者が所有する携帯端末使って指定したスイッチ部の操作を携帯端末画面上で行うことができるため、車室内のスイッチ部を一括してそれらの制御を行う入力装置を用意する必要がなくなり、ユーザは自身の所有物によってスイッチ部入力を行うことができるようになる。
【０１４２】
また、携帯端末がスイッチ部のＮＦＣタグが保持する情報を用いて制御相手と何を制御するのか携帯端末が自動で認識、車載機器へ接続し、操作画面を表示するので操作対象選択の必要がなく、素早い操作画面の提供が可能である。
【０１４３】
また、無線で接続されるので制御対象のスイッチ部から離れた席の同乗者に対しても同様に快適な（容易な）操作環境を提供することができる。
【産業上の利用可能性】
【０１４４】
本発明の操作システムは、本発明は、室内に点在する電子機器の操作入力手段を統括的に操作するための操作システムおよび操作制御装置、電子機器、無線タグに有用である。
【符号の説明】
【０１４５】
１  操作制御システム
１００  携帯端末
１０１  端末側無線通信部
１０２  ＮＦＣリーダ
１０３  携帯端末制御部
１０４  操作制御アプリ部
１１０  操作制御装置
１１２  無線通信部
１１３  中央統括制御部
１２０  車載機器
１３０  エアコン装置
１３１  エアコン制御部
１３２  エアコン操作スイッチ部
１３２ａ  温度アップスイッチ部
１３２ｂ  温度ダウンスイッチ部
１３２ｃ  風量アップスイッチ部
１３２ｄ  風量ダウンスイッチ部
１３２ｅ  風向調整スイッチ部
１３２ｆ  モード選択スイッチ部
１３３  エアコン操作ＮＦＣタグ
１３３ａ  温度アップＮＦＣタグ
１３３ｂ  温度ダウンＮＦＣタグ
１３３ｃ  風量アップＮＦＣタグ
１３３ｄ  風量ダウンＮＦＣタグ
１３３ｅ  風向調整ＮＦＣタグ
１３３ｆ  モード選択ＮＦＣタグ
１３４  空調機関部
１４０  オーディオ再生装置
１４１  オーディオ制御部
１４２  オーディオ操作スイッチ部
１４２ａ  巻き戻しスイッチ部、
１４２ｂ  再生／停止スイッチ部、
１４２ｃ  早送りスイッチ部、
１４２ｄ  サーチスイッチ部、
１４２ｅ  ラジオモード切替スイッチ部
１４３  オーディオ操作ＮＦＣタグ
１４３ａ  巻き戻しＮＦＣタグ
１４３ｂ  再生／停止ＮＦＣタグ
１４３ｃ  早送りＮＦＣタグ
１４３ｄ  サーチＮＦＣタグ
１４３ｅ  ラジオモードＮＦＣタグ
１４４  オーディオ部
１５０  サイドミラー調節装置
１５１  サイドミラー制御部
１５２  ミラー角度調節部
１５３  サイドミラーＮＦＣタグ
１５４  サイドミラー
２００  操作パネル
２３０  エアコン操作部
２４０  オーディオ操作部
３０１  スイッチ部表面
３０２  ＮＦＣタグ層
３０３  押圧部
３０４  ＮＦＣアンテナ
３０５  スイッチ
３０６  プリント基板
４００  起動画面
６１０  温度設定画面
６１１  タグ読取スイッチ部
６１２  終了スイッチ部
６１３  温度設定用スライドバー
６１３ａ  ポインタ
６１３ｂ  設定バー
６１４  温度設定情報表示部
７００  操作画面
７０１  再生停止アイコン
７０２  状態表示ウインドウ
８００  右ドア
８０１  アームレスト
８０２  サイドミラー
９００  ミラー調整画面
９０１  右ミラー
９０２ａ  角度調整操作アイコン
９０２ｂ  角度調整操作アイコン
９０２ｃ  角度調整操作アイコン
９０２ｄ  角度調整操作アイコン
【図１】
2014164744.tif 000003
【図２】
2014164744.tif 000004
【図３】
2014164744.tif 000005
【図４】
2014164744.tif 000006
【図５】
2014164744.tif 000007
【図６】
2014164744.tif 000008
【図７】
2014164744.tif 000009
【図８】
2014164744.tif 000010
【図９】
2014164744.tif 000011